(57)【要約】      （修正有）【課題】皺ができにくく、かつ、曲げ易いランドセル用の持ち手を提供する。【解決手段】ランドセル１００の背面上端に両端が取り付けられてアーチ状に突出する持ち手４０であって、第１の革材と前記第１の革材とは別体であって、前記第１の革材に縫着される前記第２の革材と、前記第１の革材と第２の革材との間に挟持される芯材と、を有し、前記第１及び第２の革材の隙間に沿って反射材が外方を臨む位置に配設されている。【選択図】図１
0003222935.tif 000002
【実用新案登録請求の範囲】
【請求項１】
ランドセルの背面上端に両端が取り付けられてアーチ状に突出する持ち手であって、
第１の革材と
前記第１の革材とは別体であって、前記第１の革材に縫着される前記第２の革材と、
前記第１の革材と第２の革材との間に挟持される芯材と、
を有し、
前記第１及び第２の革材の隙間に沿って反射材が外方を臨む位置に配設されていることを特徴とするランドセルの持ち手。
【請求項２】
前記第１の革材及び／又は前記第２の革材は、前記持ち手の厚み方向において、前記芯材から離間する方向に膨出していることを特徴とする請求項１に記載のランドセルの持ち手。
【請求項３】
前記芯材は、前記持ち手の全長に渡って設けられていることを特徴とする請求項１又は２に記載のランドセルの持ち手。
【請求項４】
前記反射材は、前記持ち手の幅方向における左右両側に設けられていることを特徴とする請求項１乃至３のうちいずれか一つに記載のランドセルの持ち手。
【請求項５】
前記反射材は、前記持ち手の両端部を除いた位置に設けられていることを特徴とする請求項１乃至４のうちいずれか一つに記載のランドセルの持ち手。
【請求項６】
前記反射材は、前記持ち手の全長に渡って設けられていることを特徴とする請求項１乃至４のうちいずれか一つに記載のランドセルの持ち手。
【請求項７】
前記第１の革材は、前記芯材を包み込むように折り曲げられており、この折り曲げられた両端部がそれぞれ、前記持ち手の幅方向における中心部に向かって延出しており、及び／又は、前記第２の革材は、前記芯材を包み込むように折り曲げられており、この折り曲げられた両端部がそれぞれ、前記持ち手の幅方向における中心部に向かって延出していることを特徴とする請求項１乃至６のうちいずれか一つに記載のランドセルの持ち手。
【請求項８】
前記第１の革材及び第２の革材は、互いに革の厚みが異なることを特徴とする請求項１乃至６のうちいずれか一つに記載のランドセルの持ち手。
【請求項９】
前記第２の革材は、前記持ち手におけるアーチの頂点部において前記第１の革材の下側に配設されており、
さらに、前記第２の革材は、閉じループ状に形成されるとともに、この閉じループ内に補強テープが配設されていることを特徴とする請求項１乃至８のうちいずれか一つに記載のランドセルの持ち手。
【考案の詳細な説明】
【技術分野】
【０００１】
本考案は、学童のランドセル用の持ち手に関するものである。
【背景技術】
【０００２】
持ち手がランドセル背板の上端部に形成された、持ち手付きのランドセルが知られている。ランドセル用持ち手は、学校のロッカーからランドセルを引き出したり、短距離の移動時等様々な場面で用いられていることから、近年ランドセル用持ち手を備えたランドセルが多数販売されている。
【０００３】
また、近年、車両のヘッドライド等の光を反射して、ドライバー等に児童の存在を認識させる反射材を備えたランドセルが販売されている。
【０００４】
特許文献１には、ランドセル本体(１)の背板(２)の上端部の両側部に両端が取付られて、全体がアーチ状に形成されると共に、その上部がランドセル本体(１)から上方に突出された持ち手(３)を有し、その持ち手(３)が、断面Ｕ字状に折返した可撓性革材からなる細長い持ち手本体(３ａ)と、その持ち手本体(３ａ)のＵ字の開口縁に挟持されて縫着され、同様に折返されて、その折返し部がその全長に渡り露出された反射テープ(３ｂ)と、を具備し、その持ち手(３)の前記反射テープ(３ｂ)がランドセル本体(１)の正面側に露出されたことを特徴とするランドセルの持ち手が開示されている。
【先行技術文献】
【特許文献】
【０００５】
【特許文献１】実用新案登録第３１６３２５７号公報
【考案の概要】
【考案が解決しようとする課題】
【０００６】
しかしながら、特許文献１のランドセルには、以下の問題があった。
（１）革材を断面Ｕ字状に折返して持ち手本体としているため、アーチ状に折り曲げたときに皺が形成される。そのため、ランドセルの見栄えが損なわれるとともに、持ち手本体を把持した際に不快な触感を与えるおそれがある。
（２）革材を断面Ｕ字状に折返して持ち手本体としているため、曲げ難い（曲げ剛性が高い）。したがって、例えばランドセルカバーを装着する時に、持ち手本体の曲げ剛性に抗しながらランドセルカバーを装着する必要があるため、装着作業が煩雑化する。また、ランドセルを背負ったときに、持ち手本体が児童の後頭部、肩などに当接して、違和感を与える場合がある。
【課題を解決するための手段】
【０００７】
上記課題を解決するためには、本願考案は、（１）ランドセルの背面上端に両端が取り付けられてアーチ状に突出する持ち手であって、第１の革材と前記第１の革材とは別体であって、前記第１の革材に縫着される前記第２の革材と、前記第１の革材と第２の革材との間に挟持される芯材と、を有し、前記第１及び第２の革材の隙間に沿って反射材が外方を臨む位置に配設されていることを特徴とする。
【０００８】
（２）前記第１の革材及び／又は前記第２の革材は、前記持ち手の厚み方向において、前記芯材から離間する方向に膨出していることを特徴とする上記（１）に記載のランドセルの持ち手。（２）の構成によれば、第１の革材を膨出させることにより、ランドセルの見栄えがよくなり、第２の革材を膨出させることにより、持ち手を把持するときの把持面がＲとなるため、持ちやすくなる。
【０００９】
（３）前記芯材は、前記持ち手の全長に渡って設けられていることを特徴とする上記（１）又は（２）に記載のランドセルの持ち手。（３）の構成によれば、持ち手のランドセルに対する固定強度を向上させることができる。
【００１０】
（４）前記反射材は、前記持ち手の幅方向における左右両側に設けられていることを特徴とする上記（１）乃至（３）のうちいずれか一つに記載のランドセルの持ち手。（４）の構成によれば、持ち手の幅方向両側に反射材が配設されるため、より多方向からの光を反射することができる。
【００１１】
（５）前記反射材は、前記持ち手の両端部を除いた位置に設けられていることを特徴とする上記（１）乃至（４）のうちいずれか一つに記載のランドセルの持ち手。
【００１２】
（６）前記反射材は、前記持ち手の全長に渡って設けられていることを特徴とする上記（１）乃至（４）のうちいずれか一つに記載のランドセルの持ち手。
【００１３】
（７）前記第１の革材は、前記芯材を包み込むように折り曲げられており、この折り曲げられた両端部がそれぞれ、前記持ち手の幅方向における中心部に向かって延出しており、及び／又は、前記第２の革材は、前記芯材を包み込むように折り曲げられており、この折り曲げられた両端部がそれぞれ、前記持ち手の幅方向における中心部に向かって延出していることを特徴とする上記（１）乃至（６）のうちいずれか一つに記載のランドセルの持ち手。（７）の構成によれば、革材を折り曲げることで、持ち手を構成する層の層数が増加するため、持ち手の剛性を高めることができる。
【００１４】
（８）前記第１の革材及び第２の革材は、互いに革の厚みが異なることを特徴とする上記（１）乃至（６）のうちいずれか一つに記載のランドセルの持ち手。（８）の構成によれば、第１の革材及び第２の革材のうち一方を厚肉、他方を薄肉にできるため、用途に応じた持ち手を設計することができる。例えば、下側の革材を薄肉にして芯材を入れることによって持ち心地をよくするとともに、上側の革材を厚肉にして剛性を許容レベルに維持しながら上側の革材を芯材レスにすることができる。
【００１５】
（９）前記第２の革材は、前記持ち手におけるアーチの頂点部において前記第１の革材の下側に配設されており、さらに、前記第２の革材は、閉じループ状に形成されるとともに、この閉じループ内に補強テープが配設されていることを特徴とする上記（１）乃至（８）のうちいずれか一つに記載のランドセルの持ち手。（９）の構成によれば、指で把持される側の革材（つまり、第２の革材）の強度が高まるため、ランドセルの自重によって革が伸びるなどの問題を起こりにくくすることができる。
【考案の効果】
【００１６】
本考案によれば、第１の革材及び第２の革材を重ねて持ち手としているため、革材をＵ字状に折り曲げた持ち手よりも、アーチ状にしたときに（言い換えると、ランドセルに固定したときに）皺ができにくい。また、革材をＵ字状に折り曲げた持ち手よりも曲げ易いため、ランドセルカバー等の装着作業が煩雑となることを防止できる。
【図面の簡単な説明】
【００１７】
【図１】ランドセルの背面図である。
【図２】持ち手の平面図である。
【図３】持ち手の断面図である。
【図４】持ち手の断面図である（変形例１）。
【図５】持ち手の断面図である（変形例２）。
【図６】持ち手の断面図である（変形例２）。
【図７】持ち手の断面図である（変形例３）。
【図８】持ち手の断面図である（変形例３）。
【図９】持ち手の断面図である（変形例４）。
【図１０】持ち手の断面図である（変形例５）
【図１１】持ち手の平面図である（変形例６）。
【考案を実施するための形態】
【００１８】
図１は、本考案の一実施形態である持ち手が取り付けられたランドセルの背面図である。ただし、肩ベルトは省略して図示する。同図を参照して、ランドセル１００は、背あて１０と、背カン首２０と、背カン装着部３０と、持ち手４０とを含む。
【００１９】
背あて１０は、ランドセル１００を背負ったときに、児童の背中に接触する部分である。したがって、クッション性に優れた素地（例えば、ウレタン）によって構成することが望ましい。背あて１０のうち、Ｕ字で表示した点線の内側の領域は、点線の外側の領域よりも一段低くなっている。これにより、空気の通り道が形成され、ランドセル１００を背負ったときに、背中に熱がこもりにくくなる。
【００２０】
背カン首２０は、ランドセル１００の背面上端に形成されたループ状の金具である。この背カン首２０を利用して、机の脇にランドセルを吊るすことにより、省スペース化を実現することができる。
【００２１】
背カン装着部３０は、背カン首２０の左右両側にそれぞれ設けられており、これらの背カン装着部３０には、背カン（不図示）を介して肩ベルト（不図示）を装着することができる。
【００２２】
次に、図１乃至図３を併せ用いて、持ち手４０について詳細に説明する。図２は持ち手の平面図（ランドセル取り付け前）であり、図３はＡ−Ａ面に沿って持ち手を切断した断面図である。持ち手４０は、ランドセル１００の背面上端に配設されており、その両端部は止着具５０によってランドセル１００に固定されている。持ち手４０は、ランドセル１００の上方に向かってアーチ状に突出しており、両端から中央（つまり、アーチの頂点）に接近するにしたがって側面（後述する反射材が設けられる面）がランドセルの前後方向を向くように捩れている。すなわち、持ち手４０は、両端からアーチの頂点に沿って次第に捩じられ、その頂部で側面の向きが両端部に対して略９０度異なるように捩れている。
【００２３】
持ち手４０は、上下一対の第１の革材４１及び第２の革材４２と、芯材４３と、反射シート（反射材に相当する）４４とを含む。第１の革材４１及び第２の革材４２は互いに別体であり、特許文献１に記載するように一条の革材をＵ字に折り曲げたものとは異なる。したがって、第１の革材４１及び第２の革材４２が互いに別体であるから、第１の革材４１及び第２の革材４２の厚みを互いに異ならせることができる。本実施形態では、第１の革材４１は、第２の革材４２よりも厚肉に形成されており、第２の革材４２の両端部には、内向きに折り返された第２の革材曲げ部４２ａが形成されている。すなわち、第２の革材４２は、芯材４３を包み込むように折り曲げられており、この折り曲げられた第２の革材曲げ部４２ａが持ち手４０の幅方向中心部に向かって延出している（言い換えると、中心部近傍まで延出している）。なお、説明の便宜上、第２の革材４２のうち第２の革材曲げ部４２ａ以外の部分を第２の革材本体部４２ｂと称する場合がある。
【００２４】
このように、第２の革材４２を折り曲げることにより、第２の革材本体部４２ｂ、芯材４３及び第２の革材曲げ部４２ａを積層した３枚構造となるため、持ち手４０の強度を高めることができる。なお、第１の革材４１及び第２の革材４２の上下を反対にすることもできる。すなわち、図３において、第２の革材４２を上側に配設し、第１の革材４１を下側に配設することもできる。
【００２５】
また、本実施形態では、第１の革材４１が厚肉に形成されているため、第２の革材本体部４２ｂ及び第２の革材曲げ部４２ａの間に芯材４３を配設するだけで（言い換えると、第１の革材４１側を芯材レスにしても）、持ち手４０の必要強度を満足させることができる。
【００２６】
第１の革材４１と第２の革材曲げ部４２ａとの間には、Ｕ字状に折り返された反射シート４４が配設されている。つまり、反射シート４４は、第１の革材４１と第２の革材曲げ部４２ａとに挟持されており、第１の革材４１及び第２の革材４２の隙間に沿って外方を臨む位置に配設されている。言い換えると、反射シート４４は、少なくともその一部がランドセルの外部から視認できる位置に配設されている。
【００２７】
また、反射シート４４は、持ち手４０の長手方向における両端部を除いた位置に配設されている。ただし、後述するように、持ち手４０の長手方向全長に渡って反射シート４４を配設することもできる。
【００２８】
図３に示すように、反射シート４４は、持ち手４０の幅方向における左右両側にそれぞれ配設されている。したがって、より多方向から入射する光を反射することができる。特許文献１の構成では、ランドセルの正面側にのみ反射シートが配設されているため、ランドセルの後方側から照射される光を反射することができない。ここで、ランドセル１００は、本来の使用方法とは異なる使用方法で使われる場合がある。例えば、「一方の肩ベルトを肩にかけ、他方の肩ベルトを肩にかけない」、「持ち手４０を把持してランドセル１００を運ぶ」等ランドセル１００の向きは必ずしも一定ではない。したがって、本実施形態のように、持ち手４０の幅方向における左右両側に反射シート４４を配設することにより、より多方向から入射する光を反射できるため、安全性を高めることができる。
【００２９】
反射シート４４に用いられる資材は特に限定しないが、例えば、金属やガラス粒子を混錬した合成樹脂製のシートを用いることができる。
【００３０】
芯材４３は、第１の革材４１と第２の革材４２との間に挟持されており、芯材４３の体積を変えることにより、第１の革材４１及び第２の革材４２の膨出量を調整することができる。図３の図示例では、第２の革材４２が下側に大きく膨出し、第１の革材４１が上側に小さく膨出している。言い換えると、第１の革材４１及び第２の革材４２は、持ち手４０の厚み方向において、芯材４３から離間する方向に膨出している。
【００３１】
このように、第２の革材４２を下側に膨出させることにより、持ち手４０を把持するときの把持面がＲとなるため、持ちやすくなる。また、第１の革材４１を上側に膨出させることで、ランドセル１００の見栄えをよくすることができる。なお、第１の革材４１及び第２の革材４２のうち一方だけを膨出させてもよい。
【００３２】
芯材４３に用いられる資材は特に限定しないが、例えば、ウレタンを用いることができる。芯材４３は、持ち手４０の略全長に渡って設けられている。したがって、止着具５０は、第１の革材４１、第２の革材４２及び芯材４３を貫通して、ランドセル１００に装着されるため、持ち手４０のランドセル１００に対する固定強度を高めることができる。
【００３３】
ここで、革材をＵ字に折り曲げた従来構造の持ち手の場合、持ち手の両端部を避けた把持部分にのみ芯材が配設されているため、芯材によって固定部位の剛性を高めることができない。すなわち、従来構造の持ち手は、芯材が厚肉となるため、固定部位まで芯材を入れることができなかった。そのため、固定部位の構造が脆弱で、革材のみでランドセルの重さに耐える必要があるため、６年間の使用中に持ち手が切れるおそれがあった。これに対して、本実施形態では、持ち手４０の略全長に渡って芯材４３が配設されているため、従来構成に対して、持ち手４０のランドセル１００に対する固定強度を高めることができる。
【００３４】
第１の革材４１、第２の革材４２、芯材４３及び反射シート４４は、点線で示す縫い目によって縫着されており、反射シート４４は第１の革材４１及び第２の革材４２によって挟持される。特許文献１では、Ｕ字状に折り曲げられた革材の開口端に反射シートを挟持させて縫着させているため、持ち手が曲げ難い。
【００３５】
これに対して、本実施形態では、互いに分離した第１の革材４１及び第２の革材４２を重ね合わせて、反射シート４４を挟持させているため、持ち手４０が曲げ易い。したがって、ランドセルカバーを装着するときに、持ち手４０を簡単に折り曲げることができるため、装着作業を容易に行うことができる。
【００３６】
また、特許文献１の構成よりも、持ち手４０に皺ができにくいため、見栄えがよくなるとともに、持ち手４０を把持した際の不快な触感を軽減することができる。
【００３７】
（変形例１）
本考案の反射シート４４は、第１の革材４１及び第２の革材４２の隙間に沿って外方を臨む位置に配設されていればよく、上述の実施形態の構成に限定されるものではない。例えば、図４に図示するように、折り返しのない反射シート４４を第１の革材４１及び第２の革材４２の間に挟持させてもよい。
【００３８】
（変形例２）
上述したように、芯材４３の充填量を変化させることにより、持ち手４０の膨出量を変えることができる。したがって、例えば、図３の持ち手４０に対して、芯材４３の充填量を低減して図５に図示する構成に変更したり、図４の持ち手４０に対して、芯材４３の充填量を低減して図６に図示する構成に変更することができる。
【００３９】
（変形例３）
第１の革材４１及び第２の革材４２の形態は、上述の形態に限定されるものではない。例えば、図７及び図８に図示するように、コストが許容できれば、第１の革材４１及び第２の革材４２をともに薄厚にして、折り曲げた構成に変更することができる。この場合、第１の革材４１及び第２の革材４２のそれぞれの本体部と曲げ部との間に芯材４３が配設される。これにより、持ち手４０の持ち心地がより一層高められ、持ち手４０を構成する層数の増大により剛性を高めることができる。
【００４０】
（変形例４）
反射材は、図９に図示する構造に変更してもよい。同図を参照して、本変形例の反射材は、薄板状芯材４５と、この薄板状芯材４５の外端に設けられた細芯材４６と、細芯材４６を折り返し点としてＵ字状に折り曲げられた反射シート４４とを備えた反射ユニットである。この反射ユニットを第１の革材４１及び第２の革材４２の間に挟持させて、第１の革材４１,反射シート４４,薄板状芯材４５及び第２の革材４２が重なる位置で縫着することにより、持ち手４０に反射機能が実装されている。
【００４１】
（変形例５）
持ち手４０は、図１０の断面図に示す構造に変更してもよい。本変形例５の第１の革材４１及び第２の革材４２は折り返し部分が接合された閉じループ構造（つまり、１周巻き構造）になっている。これらの第１の革材４１及び第２の革材４２の間には、芯材４３が挟まれている。また、変形例４と同様に反射ユニットが配設されている。さらに、本変形例の特徴的構成として、第２の革材４２の閉じループ内に補強テープ収容部４２ｃが形成されており、この補強テープ収容部４２ｃに補強テープ４７が配設されている。
【００４２】
本変形例によれば、指で把持される側の革材（つまり、第２の革材４２）の強度が高まるため、ランドセル１００の自重によって革が伸びるなどの問題を起こりにくくすることができる。
【００４３】
（変形例６）
上述の実施形態では、反射シート４４を持ち手４０の両端部を避けた位置に形成したが、本考案はこれに限るものではなく、図１１に図示するように、持ち手４０の全長に渡って反射シート４４を配設してもよい。
【符号の説明】
【００４４】
１０  背あて
２０  背カン首
３０  背カン装着部
４０  持ち手
４１  第１の革材
４２  第２の革材
４３  芯材
４４  反射シート
４５  薄板状芯材
４６  細芯材
４７  補強テープ
【図１】
0003222935.tif 000003
【図２】
0003222935.tif 000004
【図３】
0003222935.tif 000005
【図４】
0003222935.tif 000006
【図５】
0003222935.tif 000007
【図６】
0003222935.tif 000008
【図７】
0003222935.tif 000009
【図８】
0003222935.tif 000010
【図９】
0003222935.tif 000011
【図１０】
0003222935.tif 000012
【図１１】
0003222935.tif 000013